(57)【要約】【課題】ロースター皿をロースターケースからスムーズに出し入れできるようにし、ロースター皿に水が入っている場合でもロースター皿から水をこぼしてしまうのを防止する。【解決手段】本体１のロースターケース７内に調理物を加熱する上ヒータ９と、調理物を載置するロースター網８と、このロースター網８を着脱可能に設置したロースター皿６を備えた加熱調理器において、前記ロースターケース７にバネ１３ｂによりロースター皿６に付勢するプランジャー１３を複数個備えた。【選択図】図５
2006177662.tif 000002
【特許請求の範囲】
【請求項１】
本体のロースターケース内に調理物を加熱する上ヒータと、調理物を載置するロースター網と、このロースター網を着脱可能に設置したロースター皿とを有する加熱調理器において、前記ロースターケースにバネによりロースター皿に付勢されるプランジャーを複数個備えたことを特徴とする加熱調理器。
【発明の詳細な説明】
【技術分野】
【０００１】
本発明は、ロースター加熱部を備えた加熱調理器に関するものである。
【背景技術】
【０００２】
従来の加熱調理器、例えば誘導加熱調理器においては、一般的に調理器本体内の上部左右に誘導加熱部を備え、その下部の左側に魚等の調理物を加熱するロースター加熱部を備え、右側の前面にこれらの加熱部を操作する操作部を備えている。
【０００３】
図１は本発明および従来例で使用する誘導加熱調理器の斜視図、図６は従来の誘導加熱調理器の要部断面図、図７および図８はその側面断面図を示すものである。
【０００４】
これらの図において、誘導加熱調理器の本体１の上面に絶縁性の高い結晶化ガラス等よりなる絶縁板２が水平に設置されており、また、その下面で本体１内の上部左右に誘導加熱部Ｂ４，誘導加熱部Ａ３が設置されている。
【０００５】
この誘導加熱部Ｂ４，誘導加熱部Ａ３は、絶縁板２上に載置された非磁性金属であるアルミニウムまたは鉄や磁性ステンレス等の磁性金属の鍋１７を連続加熱できるものである。
【０００６】
誘導加熱部Ｂ４の下部には、本体１の前面左側に開口部が位置するように金属製のロースターケース７が設置されており、このロースターケース７内下方の左右両側の相対向する位置にはケース凸部７ａとヒータ支持具Ｂ１０ａが略水平に適宜間隙を保持して設けられており、さらに、上面にはヒータ支持具Ａ９ａが設けられ、これらのヒータ支持具
Ａ９ａと前記ヒータ支持具Ｂ１０ａによってロースターケース７内の上部と下方に上ヒータ９，下ヒータ１０が保持され、これらでロースター加熱部５が構成されている。なお、この上ヒータ９と下ヒータ１０は上ヒータ９のみであってもよい。
【０００７】
ロースターケース７内には、本体１の前面左側の開口部から金属製のロースター皿６が出し入れ自在に収納されており、前面にその出し入れを行うロースターハンドル１１ａと、このロースターハンドル１１ａに取り付けられ、ロースターケース７の前面開口部を塞ぐ扉１１が取り付けられている。
【０００８】
ロースター皿６の上面フランジ部の左右両側には、該ロースター皿６を出し入れする際にケース凸部７ａに沿ってスライドするように皿ガイド部６ａが設けられており、中にはロースター網８が着脱可能に設置され、その上に魚等の調理物（図示せず）を載せることができるようになっている。
【０００９】
前記ロースター皿６には、調理の際に魚等の油が溜まり、下ヒータ１０の熱により発火してしまうのを防止するために水を入れるが、調理物の種類によっては水を入れなくてもよい。
【００１０】
図１において、その他の構成をさらに説明すると、本体１の前面右側には前記ロースター加熱部５および誘導加熱部Ａ３，誘導加熱部Ｂ４への通電入り切りや設定および火力調整を行うスイッチやツマミ類で構成される操作部１４が配置されており、上部の前面左右には誘導加熱部Ｂ４，誘導加熱部Ａ３の夫々の運転状態又は運転するための設定状態（火力，タイマーの設定状態，揚げ物調理時の油温等）を数値，文字，図形等により表示する表示部Ｂ１６，Ａ１５が夫々設けられ、後部左右には本体１内の通気経路と連なる排気口１９および吸気口１８が設けられている。
【００１１】
これら従来の調理器のロースター加熱部に類似する構造として、特許文献１および特許文献２に示すものがある。
【００１２】
【特許文献１】特開２００１−４１５６号公報
【特許文献２】特開２００３−３０２０６５号公報
【発明の開示】
【発明が解決しようとする課題】
【００１３】
上記したような従来の加熱調理器におけるロースター加熱部の構造では、魚等の調理に際してロースターケース７からロースター皿６を出し入れする際に、ロースターケース７内の両側面に設けたケース凸部７ａとロースター皿６の皿ガイド部６ａの摩擦によりロースター皿６がスムーズに出し入れできないという課題があり、また、ロースター皿６に水が入っている場合には前記したように出し入れがスムーズでないためロースター皿６からロースターケース７内に水をこぼしてしまい、その量によっては本体１外に漏れ出すという課題があった。
【課題を解決するための手段】
【００１４】
本発明は上述の課題を解決するためになされたものであり、具体的には、本体のロースターケース内に調理物を加熱する上ヒータと、調理物を載置するロースター網と、このロースター網を着脱可能に設置したロースター皿を備えた加熱調理器において、前記ロースターケースにバネによりロースター皿に付勢されるプランジャーを複数個備えたものである。
【発明の効果】
【００１５】
上記した本発明によれば、本体のロースターケース内に調理物を加熱する上ヒータと、調理物を載置するロースター網と、このロースター網を着脱可能に設置したロースター皿を備えた加熱調理器において、前記ロースターケースにバネによりロースター皿に付勢されるプランジャーを複数個備えたので、ロースター皿の出し入れをスムーズに行うことができる。
【００１６】
また、これによって、ロースター皿に水が入っている場合でもその水をこぼすことがなくなり、使い勝手のよいロースター加熱部を備えた加熱調理器を提供することができる。
【発明を実施するための最良の形態】
【００１７】
以下、本発明の一実施例を図面に沿って説明する。
【００１８】
図１は本発明の加熱調理器の斜視図、図２は同正面から見た構造概略図、図３，図４は同横断面図、図５（ａ）（ｂ）は同ローラープランジャー部の構造概略図である。
【００１９】
なお、これらの図において、以下に説明するローラープランジャー部以外は上記した図１および図６から図８と同一構造であるので説明を省略する。
【００２０】
これらの図において、本体１内の誘導加熱部Ｂ４の下部に金属製のロースターケース７が設置されており、このロースターケース７内下方の左右両側の相対向する位置にはケース凸部７ａが設けられている。
【００２１】
また、ロースターケース７内には、本体１の前面左側の開口部から金属製のロースター皿６が出し入れ自在に収納されており、その上面フランジ部の左右両側には該ロースター皿６を出し入れする際にケース凸部７ａに沿ってスライドするように皿ガイド部６ａが設けられており、中にはロースター網８が着脱可能に設置され、その上に魚等の調理物（図示せず）を載置することができるようになっている。
【００２２】
また、このロースターケース７の底面には下記に示すローラープランジャー１３が複数個設けられており、ロースター皿６の皿ガイド部６ａがロースターケース７のケース凸部７ａに沿って前後にスライドする際にローラープランジャー１３の上を滑らかにスライドできるようになっている。
【００２３】
前記ローラープランジャー１３は、図８（ａ）（ｂ）に示すようにボール１３ａと、このボール１３ａを上方に付勢するバネ１３ｂと、このボール１３ａとバネ１３ｂを収納し、上面が開口してその開口部からロースターケース７の底面上にボール１３ａの頭部を膨出させるように保持したプランジャーケース１３ｃとで構成されており、ロースター皿６の荷重がボール１３ａに加わるとこのボール１３ａがバネ１３ｂを押し付けて自在に回転し、さらに上下するようになっている。
【００２４】
なお、プランジャーケース１３ｃは、図５に示すようにロースターケース７の底面に別部品で固定してもよく、また、ロースターケース７の底面そのものを絞って形成しても良い。
【００２５】
本発明は、以上の構成よりなり、ロースター加熱部５にて魚等の調理物を調理する場合、ロースターハンドル１１ａを手で持ってロースター皿６を本体１から取り出す。その際、ロースター皿６の下面はロースターケース７に設けた複数個のローラープランジャー
１３のボール１３ａがロースター皿６の重さで下がり、さらに回転するため、スムーズに引き出すことができる。
【００２６】
また、ロースター皿６のロースター網８に調理物を載せて本体１に収納する際も同様にロースターケース７に設けた複数個のローラープランジャー１３のボール１３ａがロースター皿６の重さで下がり、さらに回転するため、スムーズに収納することができる。
【００２７】
以上のように本発明は、ロースター皿６の下面と皿ガイド部６ａがロースターケース７の下面およびケース凸部７ａと摩擦することが少なくなり、ロースター皿６をスムーズに出し入れできることにより、非常に使い勝手がよくなる。
【００２８】
さらに、ロースター皿６に水が入っている場合でもロースター皿６から水がこぼすことがなくなる。
【図面の簡単な説明】
【００２９】
【図１】本発明および従来の誘導加熱調理器の斜視図である。
【図２】本発明の誘導加熱調理器の正面から見た構造概略図である。
【図３】同誘導加熱調理器の横断面図である。
【図４】同誘導加熱調理器の横断面図である。
【図５】同ローラープランジャー部の横断面図である。
【図６】従来の誘導加熱調理器の正面から見た構造概略図である。
【図７】同誘導加熱調理器の横断面図である。
【図８】本発明の誘導加熱調理器の横断面図である。
【符号の説明】
【００３０】
１…本体、２…絶縁板、３…誘導加熱部Ａ、４…誘導加熱部Ｂ、５…ロースター加熱部、６…ロースター皿、７…ロースターケース、１１…扉、１３…ローラープランンジャー、１３ａ…ボール、１３ｂ…バネ、１３ｃ…プランジャーケース。
【図１】
2006177662.tif 000003
【図２】
2006177662.tif 000004
【図３】
2006177662.tif 000005
【図４】
2006177662.tif 000006
【図５】
2006177662.tif 000007
【図６】
2006177662.tif 000008
【図７】
2006177662.tif 000009
【図８】
2006177662.tif 000010